(57)【要約】【課題】本発明は、パンタグラフ状に組み合わせた２つのレバーを用いなくとも、キートップを水平状態で上下動操作可能なキースイッチを提供すること。【解決手段】本発明のキースイッチ１は、キートップ５を上方に弾性付勢する弾性部材６と、この弾性部材６を保持可能な基板２と、キートップ５の上下動操作に伴って切り換え可能な固定接点２ｃ、２ｃと可動接点６ｂとを有するスイッチ回路とを備え、第１、第２のリンク部材３、４のそれぞれは、交点３ｂ、４ｂを支点として２つの板材３ｃ、３ｄ及び４ｃ、４ｄが折り畳み可能な蝶番（ちょうつがい）状をなし、互いに所定の角度をもって隣り合わせて配設すると共に、キートップ５の上下動操作による弾性部材６の伸縮に連動して、２つの板材３ｃ、３ｄ及び４ｃ、４ｄの折り畳み角度αが可変するようになっている。【選択図】　　　　図１
2004071406.tif 000002
【特許請求の範囲】
【請求項１】
キートップと、このキートップを上下動可能に支持する第１、第２のリンク部材と、前記キートップを上方に弾性付勢する弾性部材と、この弾性部材を保持可能な基板と、前記キートップの前記上下動操作に伴ってスイッチ回路を切り換え可能な可動接点と固定接点とを備え、前記第１、第２のリンク部材のそれぞれは、交点を支点として２つの板材が折り畳み可能な蝶番（ちょうつがい）状をなし、互いに所定の角度をもって隣り合わせて配設すると共に、前記キートップの前記上下動操作による前記弾性部材の伸縮に連動して、前記２つの板材の折り畳み角度が可変するようにしたことを特徴とするキースイッチ。
【請求項２】
前記第１、第２のリンク部材は、前記弾性部材を挟んで互いに直交した状態で隣り合って配設されていることを特徴とする請求項１記載のキースイッチ。
【請求項３】
前記第１、第２のリンク部材は、上端部を前記キートップに、下端部を前記基板にそれぞれ回動自在に支持したことを特徴とする請求項１、または２記載のキースイッチ。
【請求項４】
前記第１、第２のリンク部材は、前記上端部及び／または下端部を前記回動自在に係支可能な上部係支部材及び／または下部係支部材を有し、前記上端部及び／または前記下端部を係支した前記上部係支部材及び／または前記下部係支部材を介して前記キートップの裏面及び／または前記基板の上面に支持するようにしたことを特徴とする請求項記載のキースイッチ。
【請求項５】
前記第１、第２のリンク部材は、所定の高さの上昇位置で動きを規制可能な高さ規制部材を配設したことを特徴とする請求項１乃至４のいずれかに記載のキースイッチ。
【請求項６】
前記第１、第２のリンク部材は、前記弾性部材の伸縮に連動して上昇する前記上端部の高さが高くなるに従って、互いに隣り合う側面の間隔が広くなり、前記高さ規制部材によって前記間隔が所定値以上に広がらないように規制することにより、前記第１、第２のリンク部材の前記上端部が前記所定の高さの上昇位置で動きが規制されるようにしたことを特徴とする請求項５記載のキースイッチ。
【請求項７】
前記高さ規制部材は、互いに隣り合う前記側面間の前記交点近傍に橋渡しされていることを特徴とする請求項６記載のキースイッチ。
【発明の詳細な説明】
【０００１】
【発明の属する技術分野】
本発明はキースイッチに係わり、パソコン等の入力機器に使用して好適なキースイッチにに関する。
【０００２】
【従来の技術】
従来、パソコン等の入力機器に使用されるキースイッチ２１は、図９、図１０に示すように、最下部にアルミ等の金属板からなる基板２２が配設され、この基板２２にの図示左側には、第１の係合部２２ａが突出形成されている。
この第１係合部２２ａは、２つの係合壁２２ｂ、２２ｂが、係合溝２２ｃを挟んで互いに対向して形成されている。また、第１係合部２２ａの図示左側に形成されている第２係合部２２ｄは、一方側が開放されたスライド溝２２ｅを有して略Ｌ字状に形成されている。
前記第１と第２の係合部２２ａ、２２ｄは、図１０に示すように、基板２の図示上下にそれぞれ対向して設けられている。
【０００３】
前記基板２２上に載置されたメンブレンスイッチ２３は、上部シート２３ａの下面に設けた可動接点（図示せず）を、下部シート２３ｂの上面に設けた固定接点（図示せず）に対向せしめ、且つ両シート２３ａ、２３ｂ間にスペーサ２３ｃを介在させて構成されている。
前記メンブレンスイッチ２３には、第１と第２の係合部２２ａ、２２ｄが貫通可能な孔（図示せず）がそれぞれ形成され、この孔に第１と第２の係合部２２ａ、２２ｄが挿入されて、メンブレンスイッチ２３が基板２２上に載置されている。
【０００４】
また、メンブレンスイッチ２３上には、パンタグラフ状に組み合わされた第１と第２のレバー２４、２５が配設されている。前記第１レバー２４は、図１０に示すように、平面止の形状がコ字状に形成され、第１係合凸部２４ａを有する一対のアーム部２４ｂが互いに対向して形成されている。
このアーム部２４ｂは、図９に示すように、左斜め上方に傾斜して配設され、アーム部２４ｂの図示上方側には、第２係合凸部２４ｃが形成されている。
また、一対のアーム部２４ｂの第１係合凸部２４ａ寄りには、軸支部２４ｄが形成されている。
前記第２レバー２５は、図１０に示すように、平面視の形状が略矩形に形成され、図示右側には棒状の第１係合凸部２５ａ、２５ａが図示上下に突出形成され、図示左側には棒状の第２係合凸部２５ｂ、２５ｂが図示上下に突出形成されている。
【０００５】
前記第２レバー２５は、図１０に示す左寄りの位置に、後述するゴムスプリング２７が位置して挿通可能な円形状の丸孔２５ｃが形成されている。
また、第２レバー２５の上下の側面からは、第１レバー２４の軸止部２４ｄに嵌合可能な円柱状の軸支部２５ｄ、２５ｄが、突出形成されている。
そして、第２レバー２５の軸支部２５ｄを第１レバー２４の軸支部２４ｄに嵌合させて組み合わせることで、第１と第２のレバー２４、２５は、図９に示すようにパンタグラフ状に組み合わされている。
また、第１レバー２４の第１係合凸部２４ａが基板２２の第１係合部２２ａに回動可能に係支され、第２レバー２５の第２係合凸部２５ｂが基板２２の第２係合部２２ｂにスライド可能に係支されて、第１と第２のレバー２４、２５は、上下動可能になっている。
【０００６】
また、第１と第２のレバー２４、２５の上部にはキートップ２６が支持されており、このキートップ２６は、その裏面２６ａの図示右側に、第１係合部２６ｂが形成され、
この第１係合部２６ｂは、２つの係合壁２６ｃ、５６ｃ間に第２レバー２５の第１係合凸部２５ａが回動自在に係合している。
また、第１係合部２６ｂの図示左側には第２係合部２６ｄが形成され、この第２係合部２６ｄは、一方側が開放されたスライド溝２６ｅを有し、このスライド溝２６ｅに第１レバー５４の第２係合凸部２４ｃがスライド自在に係合している。
【０００７】
また、キートップ２６の裏面２６ａの略中央部には、キートップ２６を上方に弾性付勢するゴムスプリング２７が配設されている。この弾性体２７は、基板２２上のメンブレンスイッチ２３上に接着剤等で取り付けられて載置されている。
前記ゴムスプリング２７は、内部にドーム状の空洞部２７ａを有し、この空洞部２７ａ内部の天井部から下方に突出する凸部２７ｂが形成されている。
そして、ゴムスプリング２７の上端部２７ｃは、キートップ２６の裏面２６ａに位置決めされている。
【０００８】
前述のような従来のキースイッチ２１は、キートップ２６を下方に押圧すると、パンタグラフ状の第１と第２のレバー２４、２５が回動して、キートップ２６が水平状態で降下する。
それと同時に、降下したキートップ２６がゴムスプリング２７を弾性変形させて、空洞部２７ａ内部の凸部２７ｂが降下し、この凸部２７ｂが上部シート２３ａを押圧して可動接点（図示せず）が下部シート２３ｂの固定接点（図示せず）と接触してメンブレンスイッチ２３がスイッチＯＮするようになっている。
【０００９】
しかる後、キートップ２６への押圧を解除すると、ゴムスプリング２７の弾性力により、キートップ２６が上方の初期位置に戻ると共に、第１、第２レバー２４、２５が上昇する。メンブレンスイッチ２３の上部シート２３ａは、自己の復元力で初期状態に戻り、下部シート２３ｂとの接触が離れ、メンブレンスイッチ２３はＯＦＦ状態となる。
このような従来のキースイッチ２１は、パンタグラフ状に組み合わせた一対のレバー２４、２５に支持されたキートップ２６が、押圧位置に関係なく基板２２と平行な略水平状態で上下動するようになっている。
【００１０】
【特許文献】
特開平１２−１４８３５６号公報
【００１１】
【発明が解決しようとする課題】
しかし、前述したような従来のキースイッチ２１は、第１と第２のレバー２４、２５をパンタグラフ状に支持するための構造が複雑であり、組立効率が悪くなる問題があった。
また、従来のキースイッチ２１は、パンタグラフ状に組み合わせた第１、第２レバー２４、２５のために、高さ寸法が大きくなって薄型化が難しかった。
本発明は前述したような問題点に鑑みてなされたもので、パンタグラフ状に組み合わせた２つのレバーを用いなくとも、キートップを水平状態で上下動させることが可能なキースイッチを提供することを目的とする。
【００１２】
【課題を解決するための手段】
前記課題を解決するための第１の解決手段として本発明のキースイッチは、キートップと、このキートップを上下動可能に支持する第１、第２のリンク部材と、前記キートップを上方に弾性付勢する弾性部材と、この弾性部材を保持可能な基板と、前記キートップの前記上下動操作に伴ってスイッチ回路を切り換え可能な可動接点と固定接点とを備え、前記第１、第２のリンク部材のそれぞれは、交点を支点として２つの板材が折り畳み可能な蝶番（ちょうつがい）状をなし、互いに所定の角度をもって隣り合わせて配設すると共に、前記キートップの前記上下動操作による前記弾性部材の伸縮に連動して、前記２つの板材の折り畳み角度が可変するようにしたことを特徴とする。
【００１３】
また、前記課題を解決するための第２の解決手段として、前記第１、第２のリンク部材は、前記弾性部材を挟んで互いに直交した状態で隣り合って配設されていることを特徴とする。
【００１４】
また、前記課題を解決するための第３の解決手段として、前記第１、第２のリンク部材は、上端部を前記キートップに、下端部を前記基板にそれぞれ回動自在に支持したことを特徴とする。
【００１５】
また、前記課題を解決するための第４の解決手段として、前記第１、第２のリンク部材は、前記上端部及び／または下端部を前記回動自在に係支可能な上部係支部材及び／または下部係支部材を有し、前記上端部及び／または前記下端部を係支した前記上部係支部材及び／または前記下部係支部材を介して前記キートップの裏面及び／または前記基板の上面に支持するようにしたことを特徴とする。
【００１６】
また、前記課題を解決するための第５の解決手段として、前記第１、第２のリンク部材は、所定の高さの上昇位置で動きを規制可能な高さ規制部材を配設したことを特徴とする。
【００１７】
また、前記課題を解決するための第６の解決手段として、前記第１、第２のリンク部材は、前記弾性部材の伸縮に連動して上昇する前記上端部の高さが高くなるに従って、互いに隣り合う側面の間隔が広くなり、前記高さ規制部材によって前記間隔が所定値以上に広がらないように規制することにより、前記第１、第２のリンク部材の前記上端部が前記所定の高さの上昇位置で動きが規制されるようにしたことを特徴とする。
【００１８】
また、前記課題を解決するための第７の解決手段として、前記高さ規制部材は、互いに隣り合う前記側面間の前記交点近傍に橋渡しされていることを特徴とする。
【００１９】
【発明の実施の形態】
以下に、本発明におけるキースイッチの１実施の形態について図面に基づいて説明する。図１は本発明のキースイッチの概略斜視図であり、図２は本発明のキースイッチの平面図であり、図３は図２の要部断面図であり、図４は図２の要部断面図であり、図５は本発明に係わる高さ規制部材を説明する概略図であり、図６〜図８は本発明のその他の実施の形態を説明する概略図である。
【００２０】
まず、本発明のキースイッチ１の１実施の形態は、図１に示すように、最下部に平坦状で所定厚さの板状の絶縁材からなる基板２が配設されており、この基板２の上面には、図３に示すように、所定の隙間を有して互いに対向する一対の第１下部支持壁２ａ、２ａが形成されている。
この第１下部支持壁２ａ、２ａの隙間部分には、側面視の形状が略くの字状をした第１のリンク部材３の下端部３ａが支持可能となっている。
【００２１】
前記第１のリンク部材３は、交点３ｂを支点として、一方と他方の２つの板材３ｃ、３ｄが蝶番（ちょうつがい）状に折り畳み可能に形成されている。
前記一方と他方の板材３ｃ、３ｄは、図２の破線で示すように、一方の側面３ｅが傾斜状に形成されて、略台形状になっている。そして、他方の板材３ｄの上端部３ｆが、後述するキートップ５に形成した一対の第１上部支持壁５ａ、５ａに支持可能になっている。
【００２２】
また、第１のリンク部材３と隣り合う右側には、図２に示すように、第１のリンク部材３と直交して第２のリンク部材４が配設されている。即ち、第１、第２のリンク部材３、４は、所定の角度をもって互いに隣り合って配設されている。
また、第２のリンク部材４は、図１、２に示すように、その下端部４ａが図４に示すように、基板２に形成した一対の第２下部支持壁２ｂ、２ｂの間に係支可能になっている。
前記第２のリンク部材４は、一方と他方の２つの板材４ｃ、４ｄが第１のリンク部材３と略対称形状に形成されている。
また、一方と他方の板材４ｃ、４ｄは、第１のリンク部材３の一方の側面３ｅと互いに対向する一方の側面４ｅが傾斜状に形成されてている。そして、他方の板材４ｄの上端部４ｆが、後述するキートップ５に形成した一対の第２上部支持壁５ｂ、５ｂに支持可能になっている。
【００２３】
また、第１、第２のリンク部材３、４上には、樹脂材料等からなる略矩形状のキートップ５が配設されており、このキートップ５は、裏面側に、図３に示すような、第１のリンク部材３の上端部３ｆを係支可能な一対の第１上部支持壁５ａ、５ａと、図４に示すような、第２のリンク部材４の上端部４ｆを係支可能な一対の第２上部支持壁５ｂ、５ｂとが突出形成されている。
また、図１に示す基板２上でキートップ５が対向する領域（２点鎖線で示す領域）内には、図３の２点鎖線で示すような、ゴムスプリングからなる弾性部材６が配設されている。
【００２４】
この弾性部材６は、初期状態において、内部がドーム状の空洞部６ａが形成され、この空洞部６ａの天井部に導電性で円形状の可動接点６ｂが印刷または接着等により形成されている。
そして、弾性部材６の上端がキートップ５の裏面に、また弾性部材６の下端が基板２の上面に、それぞれ接着剤等により取り付けられている。
また、可動接点６ｂと対向する側の基板２上には、図２に示すような半円状の一対の固定接点２ｃ、２ｃが互いに離間して絶縁された状態で、印刷等により形成されている。前記可動接点６ｂと固定接点２ｃ、２ｃとでスイッチ回路が構成されている。
このようなスイッチ回路は、初期状態の弾性部材６を弾性変形させ、可動接点６ｂを降下させて一対の固定接点２ｃ、２ｃに接触させると、一対の固定接点２ｃ、２ｃが可動接点６ｂを介して導通して、スイッチ回路が切り換わってＯＮするようになっている。
【００２５】
このような本発明のキースイッチ１は、キートップ５の上下動操作による弾性部材６の伸縮に連動して、第１、第２のリンク部材３、４のそれぞれの板材３ｃ、３ｄ、及び４ｃ、４ｄの折り畳み角度αが可変するようになっている。
そして、キートップ５を押圧操作して弾性変形した弾性部材６が、初期状態に復帰する動作に連動して、第１、第２のリンク部材３、４も上昇して上端部３ｆ、４ｆの高さ寸法Ｈが高くなる。この上端部３ｆ、４ｆが高くなるに従って、交点３ｂ、４ｂ近傍の互いに隣り合う側面３ｅ、４ｅ間の間隔が広がるようになっている。
【００２６】
前記互いに隣り合う側面３ｅ、４ｅ間の間隔が所定の寸法になると、それ以上に広がらないように間隔を規制することにより、第１、第２のリンク部材３、４の上端部３ｆ、４ｆの高さを所定の高さで規制か可能な、高さ規制部材７が図５に示すように配置されている。
この高さ規制部材７は、柔軟性のあるフィルム、またはテープ部材からなり、互いに隣り合う側面３ｅ、４ｅ間で交点３ｂ、４ｂ近傍に橋渡しされ、両端部が接着剤（図示せず）等により、それぞれの板材３ｄ、４ｄに接着されて取り付けられている。
このような本発明のキースイッチ１は、弾性部材を挟んで直交させて互いに隣り合わせて配設された第１、第２のリンク部材３、４に支持されているために、キートップ５を押圧する押圧位置が一定でなくても、キートップ５が基板と平行な略水平状態で上下動するようになっている。
【００２７】
このような本発明のキースイッチ１の動作を説明すると、まず、スイッチ回路がＯＦＦ状態の初期状態においては、キートップ５が上昇位置にあって基板２と平行な略水平状態となっている。また、基板２からのキートップ５の高さが寸法Ｈとなっている。
このような初期状態のキートップ５を押圧操作すると、キートップ５は、第１、第２のリンク部材３、４の作用で、水平状態で降下する。そして、更にキートップ５を押圧すると、弾性部材６の空洞部６ａが弾性変形して反転してクリック感が発生すると共に、可動接点６ｂが一対の固定接点２ｃ、２ｃに接触して導通しスイッチ回路がＯＮとなって、キートップ５の降下が停止する。
【００２８】
この時の、折り畳みされたそれぞれの板材３ｃ、３ｄ、及び４ｃ、４ｄは、重なり合った状態となる。そして、互いに隣り合う側面３ｅ、４ｅ間の間隔が狭くなり、高さ規制部材７が弛んだ状態になる。
この状態から、キートップ５に加えていた押圧力を解除すると、弾性部材６の弾性力でキートップ５が上方の初期位置に自動復帰すると共に、可動接点６ｂが固定接点２ｃ、２ｃから離れてスイッチ回路がＯＦＦとなる。
【００２９】
それと共に、第１、第２のリンク部材３、４は、それぞれの折り畳み角度αが広がって初期状態に自動復帰する。この折り畳み角度αが初期状態に復帰すると、それぞれの側面３ｅ、４ｅ間の間隔も広くなって、高さ規制部材７の弛みが無くなり、それぞれの側面３ｅ、４ｅ間の間隔が所定寸法以上に広がることができなくなる。そのために、第１、第２のリンク部材３、４の上昇がストップして、キートップ５が初期状態の上昇位置で停止する。
このような本発明のキースイッチ１は、簡単な構造の蝶番状の第１、第２のリンク部材３、４で、キートップ５を水平状態で上下動操作することができるので、部品点数が少なくて組立性が良く、且つ操作性に優れている。
【００３０】
また、本発明の実施の形態の説明では、第１、第２のリンク部材３、４をキートップ５、及び基板２に直接支持したもので説明したが、その他の実施の形態として、第１、第２のリンク部材３、４は、図６〜図８に示すような係支部材８、９を介して、キートップ５及び／または基板２に支持するようにしたものでも良い。このような、その他の実施の形態を、図６に示すように、第２のリンク部材４側で説明すると、第２のリンク部材４は、上端部４ｆが回動自在に板状の上部係支部材８に係支されている。
【００３１】
前記上部支持部材８は、図６に示すように、上端部４ｆを係支可能な一対の係支壁８ａ、８ａが突出形成され、この係支壁８ａ、８ａ間に上端部４ｆを係支することにより、上部支持部材８と第２のリンク部材４とが一体化されている。
また、第１リンク部材３も、第２リンク部材４と同様に上部係支部材８に回動自在に係支されて、第１、第２のリンク部材３、４が、上部係支部材８で一体化されて半製品化されている。そして、第１、第２のリンク部材３、４を一体化した上部係支部材８は、キートップ５の裏面にスナップ止め等で保持可能になっている。
このような、上部係支部材８に第１、第２のリンク部材３、４を一体化して半製品化することにより、第１、第２のリンク部材３、４の組立時の取り扱いが容易となり、組立作業性を更に向上させることができる。
【００３２】
また、その他の実施の形態の別な方法として、図７に示すように、下部係支部材９の係支壁９ａに下端部４ａを係支して、第１、第２のリンク部材３、４を下部係支部材９に一体化して半製品化したものでも良い。
また、その他の実施の形態の別な方法として、図８に示すように、上部と下部の係支部材８、９に、第１、第２のリンク部材３、４をそれぞれ係支して半製品化したものでも良い。
【００３３】
即ち、本発明のその他の実施の形態の第１、第２のリンク部材３、４は、上端部３ｆ、４ｆ及び／または下端部３ａ、４ａを回動自在に支持可能な上部係支部材８及び／または下部係支部材９を有し、上端部３ｆ、４ｆ及び／または下端部３ａ、４ａを支持した上部係支部材８及び／または下部係支部材９を介して、キートップ５の裏面及び／または基板２の上面に保持するようにしたものである。
【００３４】
また、本発明の実施の形態では、スイッチ回路の固定接点２ｃ、２ｃを基板２に直接形成したもので説明したが、基板２を金属板で形成し、この基板の上に絶縁フィルムからなるシート部材（図示せず）を配設し、このソート部材の表面に固定接点２ｃ、２ｃを形成したものでも良い。
または、スイッチ回路は、可動接点と固定接点とを互いに対向する２枚のシート部材に形成し、この２枚のシート部材を所定のギャップで離間させるスペーサ部材を備えた３枚メンブレン（図示せず）からなるものでも良い。
【００３５】
【発明の効果】
以上説明したように、本発明のキースイッチは、第１、第２のリンク部材のそれぞれは、交点を支点として２つの板材が折り畳み可能な蝶番（ちょうつがい）状をなし、互いに所定の角度をもって隣り合わせて配設すると共に、キートップの上下動操作による弾性部材の伸縮に連動して、２つの板材の折り畳み角度が可変するようにしたので、２つのリンク部材だけで、キートップを水平状態で上下動操作することができ、構造が簡単で操作性の良いキースイッチを提供できる。
【００３６】
また、第１、第２のリンク部材は、弾性部材を挟んで互いに直交した状態で隣り合って配設されているので、キートップの押圧位置が一定でなくとも、更に確実に水平状態で上下動させることができる。
【００３７】
また、第１、第２のリンク部材は、上端部をキートップに、下端部を基板にそれぞれ回動自在に支持しているので、弾性部材の上下動に連動して第１、第２リンク部材をスムーズに上下動させることができ、操作性が良い。
【００３８】
また、第１、第２のリンク部材の上端部及び／または下端部を係支した上部係支部材及び／または下部係支部材を介してキートップの裏面及び／または基板の上面に第１、第２のリンク部材を支持するようにしたので、第１、第２のリンク部材を一体化して半製品化することができ、第１、第２のリンク部材の取り扱い性が良くなると共に、組立性を向上させることができる。
【００３９】
また、第１、第２のリンク部材は、所定の高さの上昇位置で動きを規制可能な高さ規制部材を配設したので、所定高さの位置で上昇をストップさせることができ、押圧操作前の初期状態おけるキートップの高さ寸法をバラツキの無い一定の高さにすることができる。
【００４０】
また、高さ規制部材によって第１、第２のリンク部材の互いに対向する側面間の間隔が所定値以上に広がらないように規制することにより、第１、第２のリンク部材の上端部が所定の高さの上昇位置で動きが規制されるようにしたので、構造が簡単な高さ規制部材とすることができ、組立が容易なキースイッチを提供できる。
【００４１】
また、高さ規制部材は、互いに隣り合う側面間の交点近傍に橋渡しされているので、柔軟性のある市販のフィルム、あるいはテープ等を使用することができ、コストダウンが可能である。
【図面の簡単な説明】
【図１】本発明のキースイッチの概略斜視図である。
【図２】本発明のキースイッチの概略平面図である。
【図３】図２の要部断面図である。
【図４】図２の要部断面図である。
【図５】本発明に係わる高さ規制部材を説明する概略図である。
【図６】本発明のその他の実施の形態を説明する概略図である。
【図７】本発明のその他の実施の形態を説明する概略図である。
【図８】本発明のその他の実施の形態を説明する概略図である。
【図９】従来のキースイッチの側面図である。
【図１０】従来のキースイッチも平面図である。
【符号の説明】
１　本発明のキースイッチ
２　基板
２ｃ　固定接点
３　第１のリンク部材
３ａ　下端部
３ｂ　交点
３ｃ　一方の板材
３ｄ　他方の板材
３ｅ　一方の側面
３ｆ　上端部
４　第２のリンク部材
４ａ　下端部
４ｂ　交点
４ｃ　一方の板材
４ｄ　他方の板材
４ｅ　一方の側面
４ｆ　上端部
５　キートップ
６　弾性部材
６ｂ　可動接点
７　高さ規制部材
８　上部係支部材
９　下部係支部材
【図１】
2004071406.tif 000003
【図２】
2004071406.tif 000004
【図３】
2004071406.tif 000005
【図４】
2004071406.tif 000006
【図５】
2004071406.tif 000007
【図６】
2004071406.tif 000008
【図７】
2004071406.tif 000009
【図８】
2004071406.tif 000010
【図９】
2004071406.tif 000011
【図１０】
2004071406.tif 000012